(57)【要約】【課題】  布製のカーテン、のれん、間仕切り、又は作業着を構成する生地の提供。【解決手段】  生地は機能を異にする複数枚のＡ生地、Ｂ生地・・・を重ね合わせて縫製して１枚の複合生地としている。【選択図】    図１
2020074878.tif 000002
【特許請求の範囲】
【請求項１】
布製のカーテン、のれん、間仕切り、又は作業着を構成する生地であって、該生地は機能を異にする複数枚のＡ生地、Ｂ生地・・・を重ね合わせて縫製して１枚の複合生地としたことを特徴とする重ね合わせた複合生地。
【請求項２】
上記複合生地の１枚として、消臭機能を有す生地を用いて縫製した請求項１記載の重ね合わせた複合生地。
【請求項３】
上記複合生地の１枚として、難燃性機能を有す生地を用いて縫製した請求項１記載の重ね合わせた複合生地。
【請求項４】
上記複合生地の１枚として、花粉吸着性機能を有す生地を用いて縫製した請求項１記載の重ね合わせた複合生地。
【請求項５】
上記複合生地の１枚として、ＰＭ２．５が濾過される機能を有す生地を用いて縫製した請求項１記載の重ね合わせた複合生地。
【請求項６】
上記複合生地の１枚として、抗ウィルス性の機能を有す生地を用いて縫製した請求項１記載の重ね合わせた複合生地。
【請求項７】
上記複合生地の１枚として、防虫機能を有す生地を用いて縫製した請求項１記載の重ね合わせた複合生地。
【発明の詳細な説明】
【技術分野】
【０００１】
本発明は布製のカーテン、のれん、間仕切りなどを構成し、個々の機能を有して生地を重ね合わせて縫製した複合生地に関するものである。
【背景技術】
【０００２】
病院には色々な病気を持った患者が入院しており、また通院している為に、病院に行くことで他の病気に感染するといったことが起き、時には感染することで亡くなるケースもあり、大きな社会問題となっている。
その為に、近年では各病院は感染を防止する為に、色々な対策を施しているが、感染を完全に防止することが出来る方法はなく、基本的には消毒や感染者を隔離するといった対策が施されている。
【０００３】
病院内においても、隔離病棟や手術室等の特に安全性が必要な部分における感染防止対策はなされているものの、不特定多数のものが出入りする待合室、廊下、洗面所やトイレ等での対策は殆どなされていない。
また、行われたとしても、頻繁な消毒・殺菌作業による多大な負担に加え、殺菌剤、消毒剤の安全性の問題、使用済薬剤の処理の問題等の新たな問題が発生し、有効でかつ１００％の安全性が確保できる対策は見当たらない。
ウィルス対策に限らず、花粉の侵入を防止したり、アンモニアなどの臭いを遮ることが必要とする簡易な仕切りが必要となる。
【０００４】
特開２０１７−１４０３４５号に係る「感染防止方法」は、多数の人に利用される共同便所、病院等の便器を経由する、ウィルス等の感染を簡易な方法で防止する感染防止方法である。
そこで、便器の蓋の下面、便座の下面、便座開口部の内面のいずれか一つ以上に、気体状の二酸化塩素を発生するシート状の二酸化塩素発生源を設け、二酸化塩素発生源より二酸化塩素を発生させ、二酸化塩素により便器の内部の細菌、ウィルス等を滅殺または不活性化して、便器経由の病原体感染を防止することが出来る。
【０００５】
特開２０１４−５４４４０号に係る「院内感染防止用具」は、点滴中に病院内を移動する際、院内感染の心配が生じることなく移動できるようにするための用具である。そこで、移動用キャスターを具えた点滴用スタンドと、当該スタンドを用いた点滴中の患者とを、一緒に被うためのカバー体を備え、該カバー体は、当該点滴用スタンドの上端部分で支持されるように構成している。
【０００６】
特開２０１１−２１２１４６号に係る「ウィルスや菌への感染防止方法およびその装置」は、新型インフルエンザ等の感染者が、病院等の建物あるいは駅等の施設に進入する前に、衣服等に付着したウィルスや菌を除去し、建物や施設内での第三者への感染を防止するウィルスや菌への感染防止方法およびその装置である。
新型インフルエンザ等に感染して、高熱症状を呈する感染者が、処理室に入室したことを人感センサーが感知して、該処理室内においてサーモグラフィーセンサーによって入室者の体温を計測して、高熱の場合長時間、除染液をミスト状にしてノズルにより前記入室者および処理室内に噴霧して、該入室者が建物あるいは施設に進入する前に、衣服等に付着したウィルスや菌を除去し、建物や施設内での第三者への感染を防止する。
【０００７】
このように、ウィルスの感染を防止する為に、各病院や公共の施設では色々な対策が施されているが、十分とは言えない。
【特許文献１】特開２０１７−１４０３４５号に係る「感染防止方法」
【特許文献２】特開２０１４−５４４４０号に係る「院内感染防止用具」
【特許文献３】特開２０１１−２１２１４６号に係る「ウィルスや菌への感染防止方法およびその装置」
【発明の開示】
【発明が解決しようとする課題】
【０００８】
このように、ウィルスや病原菌の感染を防止する為の方法は色々知られている。本発明は従来の方法とは全く別な手段であり、部屋空間を仕切るために吊設するカーテン、のれん、布製間仕切りなど、また病院などで着用する作業着を対象とし、ウィルス、細菌、花粉、臭いなどが侵入しないように遮蔽することを目的とする複合生地を提供する。
【課題を解決するための手段】
【０００９】
本発明に係るカーテン、のれん、布製間仕切りなどは、空間を仕切って遮蔽するものであり、この仕切られた空間内にウィルス、細菌、花粉、臭いなどが侵入することを阻止、又は抑制することは出来る。
そこで、吊設される生地は織生地又は編み生地で構成され、しかも複数枚の生地を重ね合わせて縫製した構造としている。重ね合される個々の生地は同じではなく、機能を異にし、複数の機能を備えた複合生地はカーテン、のれん、布製間仕切りとなる。
【００１０】
例えば、春先に飛游する花粉の侵入を遮蔽する機能を有す生地、ウィルスが通過しないように遮蔽する生地、臭いが通過しないように遮蔽する生地、また燃え難い生地などが色々知られている。
本発明では、これら各機能を備えた個々の生地を重ね合わせて縫製し、１枚の複合生地としてカーテンや間仕切りとして使うことが出来る。ここで、複数枚が重ね合された複合生地を縫製する箇所は特に限定せず、上端部のみとしたり、又は上下端部及び両側部とすることが出来る。勿論、複合生地の用途は限定しないことにする。
【発明の効果】
【００１１】
本発明の複合生地は、それぞれ異なる機能を備えた生地を複数枚重ね合わせて１枚の生地を構成し、該生地をカーテンとして吊設し、のれんとして吊設し、又は間仕切りとして吊設する。また、病院などで使う作業着用の生地として使うことが出来る。そして、生地を吊設して仕切られる空間にはウィルス、細菌、臭い、花粉などの侵入を抑制することが出来る。
使う用途に応じて求められる機能が異なるために、各機能を満たすことが出来る生地を重ね合わせて本発明の複合生地を縫い付けて製作される。
【００１２】
ここで、複合生地を吊設する場合、吊設する形態（構造）によっては天井との間に僅かな隙間を残すこともあるが、ある程度の遮蔽効果を得ることは出来る。そして、吊設されるカーテン、のれん、間仕切りは従来のものと変わりなく使うことが出来る。
【図面の簡単な説明】
【００１３】
【図１】２枚のＡ生地とＢ生地とが重ね合わされて構成される本発明の複合生地を示す実施例。
【図２】本発明の複合生地にて縫製した医師の作業着。
【発明を実施するための形態】
【００１４】
図１は本発明に係る複合生地１が作られる工程を表している。該複合生地１はＡ生地２とＢ生地３とが重ね合わされ、上端部を縫製することで分離しないように構成している。
同図では複合生地１の上端部に縫目４が設けられているために、下端部はフリーな状態と成っている。しかし、縫い付ける箇所は限定せず、例えば縫目４，４・・・を上端部の他に、下端部、及び左右側端部に設ける場合もある。
また、中間部にも縫目４，４・・・を形成することも可能である。該上端部に縫目４を設けて縫い付けた複合生地１は、Ａ生地２とＢ生地３が重なり合って構成される複合生地１であり、Ａ生地２とＢ生地３が分離しないようにする一つの手段として上端部を縫い付けている。具体的な商品とする際には適当な箇所が縫製されてＡ生地２とＢ生地３は１枚の複合生地１として一体化する。
【００１５】
ところで、Ａ生地２とＢ生地３とはその機能を異にし、その為に重ね合わせて構成している本発明の複合生地１は、Ａ生地２とＢ生地３の両機能が備わって生地１として構成される。
ここで、Ａ生地２及びＢ生地３の具体的な機能は限定されるものではなく、社会の要求に応じた機能を有す生地を選択して縫製することが出来る。
【００１６】
Ａ．消臭機能を有す生地
例えば、特開２０１２−２１４９１９号に係る「繊維、生地及び衣料」は、優れた消臭効果を有している。
すなわち、ポリアミド樹脂、酸性化合物及び酸化チタンを含有する繊維であって、ポリアミド樹脂は、ナイロン６、ナイロン６６、ナイロン１１及びナイロン１２からなる群より選択される少なくとも１種の樹脂であり、前記酸性化合物は、スチレン−無水マレイン酸共重合体、又は、酸無水物であり、前記ポリアミド樹脂１００重量部に対して、前記酸性化合物を０．１５〜３重量部、酸化チタンを２．５〜１０重量部含有している。
【００１７】
また、特開２０１１−１０６０３７号に係る「多機能クロス」は、消臭力の機能を有している。
生地にウラン系列核種元素またはトリウム系列核種元素を含むセラミックスを固定させて形成した感染予防や防臭性に優れた多機能クロスであって、多機能クロスは、セラミックスの電離作用により、ＪＩＳ−Ｌ−１９０２菌転写法により評価される菌減少値が、多剤性耐性菌ＭＲＳＡ、肺炎桿菌、および黄色ブドウ球菌において０．０以上、かつＪＩＳ−Ｌ−２０１７−１０３法の消臭試験によるアンモニア臭の消臭率８０％以上である。
消臭機能を有す生地はこれらの他にも色々あり、本発明は消臭機能を有す生地の具体的な構成は限定しない。
【００１８】
Ｂ．難燃性機能を有す生地
特表２００６−５１２５１１号に係る「難燃性生地」は、少なくとも２６の限界酸素指数を有する完全芳香族熱可塑性ポリマーを含んでなる鞘部と、熱可塑性ポリマーを含んでなる芯部とを有する二成分繊維を含んでいる生地である。
難燃機能を有す生地の種類は他にも色々あり、本発明では具体的な構成は限定しない。
【００１９】
Ｃ．花粉吸着性機能を有す生地
ダニや花粉に加えて大気中の細かな粒子を、物理的な吸着と化学的な吸着作用によって、室内へ侵入するのを阻止するレースカーテン生地が知られている。
例えば、特開２０１６−６４０１３号に係る「レースカーテン生地」はその一つであり、生地の一面側を縮れ加工を施したポリエステル長繊維で形成し、吸着剤を塗布して成り、遮熱作用を有するハイマルチ糸で生地の中間層を形成し、生地の他面側をブライト糸で形成している。また、生地の一面側には吸着剤を塗布する。
【００２０】
また、ニット生地にブラックシリカの微粉末を含有する鉱物含有繊維が、表側および裏側のうち裏側に相当する面だけにプレーティング編みされ、このとき、ニット生地がメッシュ生地とすることが好ましく、また、鉱物含有繊維が撚糸された状態でプレーティング編みされることも好ましい。
花粉吸着機能を有す生地の構成は色々あるが、本発明では限定しない。
【００２１】
Ｄ．ＰＭ２．５が濾過される機能を有す生地
例えば、特表２０１７−５１４０２４号に係る「抗菌かつＰＭ２．５粒子の濾過をする立体型マスク用フィルターシート」を用いることが出来る。
該フィルターシートは抗菌し，かつＰＭ２．５粒子を濾過する機能を持ち、亜鉛フタロシアニン等の感光材料が付着され、綿繊維、竹繊維、麻繊維、ＰＥＴ／ＰＰ及びこれらの混合繊維溶射不織布並びに他の紡績生地を含む繊維生地である抗菌外層と、エレクトレット溶射不織布である濾過中間層と、ポリプロピレンスパンボンド不織布である保護分離層との３層構造によって組合せて形成されている。
ただし、ＰＭ２．５が濾過される機能を有す生地の構成に関しては限定しない。
【００２２】
Ｅ．抗ウィルス性の機能を有す生地
特開２００８−１８８７９１号に係る「抗菌・防塵生地」は、ウィルス等を効率的に遮断できるとともに、捕集したウィルス等を不活性化または死滅し得る、抗菌生地である。  無機多孔質物質を含み、平均繊維径１〜１００μｍのマイクロファイバーからなる繊維構造物層と、この繊維構造物層に積層された、平均繊維径１ｎｍ以上１０００ｎｍ未満のナノファイバー不織布層と、を備えている。
本発明に係る抗ウィルス性の機能を有す生地の構成は、上記の場合に限定しない。
【００２３】
Ｆ．防虫機能を有す生地
特開２００４−３６０１５７号に係る「超極細繊維のマイクロファイバーを用いた機能性布製品」は、人体に無害な香りを発散させる、防虫などの機能を有している。
ポリエステルとナイロン／ＰＥＴ分割型複合繊維とを用いて製造したマイクロファイバーの生地において、超極細繊維で裁織したマイクロファイバーの生地に通常の分散剤と吸収剤とを添加し、１００〜１５０℃の温度で１〜５時間染色乾燥させた後に、マイクロファイバーに対して、少なくとも１以上の種類よりなる機能性マイクロカプセルと、柔軟剤および接着剤であるバインダーとを水に混合させた溶液を加えた処理タンクで処理することにより、マイクロファイバーの生地に、前記少なくとも１種の機能性マイクロカプセルを包埋させる工程を含んでいる。
本発明の防虫機能を有す生地は、上記の場合に限定しない。
【００２４】
このように、消臭機能を有す生地、難燃性機能を有す生地、花粉吸着性機能を有す生地、ＰＭ２．５が濾過される機能を有す生地、抗ウィルス性の機能を有す生地、防虫機能を有す生地はあくまでの具体例に過ぎず、上記の場合に限定しない。また、機能の種類に関しては他の機能を備えた生地も知られている。
【００２５】
ところで、本発明に係る複合生地を使う用途に関しては限定しないが、例えば、色々な病原菌、細菌、ウィルスが浮遊し、付着している恐れがある病院が適している。
具体的には、臭いが発生する汚染処理室、泌尿科や検査室などの診察関連場所の仕切りカーテンや間仕切りとして使うことが出来る。
また、感染病棟、診察室、救命救急室などで免疫が低下して感染し易い場所を仕切るためのカーテンや間仕切りとして使われる。
一方、診察室、検査室、待合室、受付、調剤薬局などの不特定多数の人が集まり、共有する場所を仕切るためのカーテン、間仕切りなどに使うことが出来る。
【００２６】
さらに、本発明の複合生地はカーテン、のれん、又は間仕切りなどのように、吊設して空間を仕切る目的の他に、作業着にも使うことが出来る。
例えば、病院で働く医師、看護師、レントゲン技師、及び事務員は、各種病原菌から身を守るために、本発明に係る複合生地を縫製した作業着を着用することが出来る。
【００２７】
図２は病院や医院で働く医師が着用する作業着を示す具体例である。該作業着は本発明の複合生地を用いて縫製され、各種の病原菌やウィルスから身体を守ることが出来る。
病院によっては特殊な病気に感染している患者が入院している病棟ごとにそれぞれに適した複合生地で縫製し、感染を防止することが可能な作業着を着用することが好ましい。
【符号の説明】
【００２８】
１   遮蔽生地
２   Ａ生地
３   Ｂ生地
４   縫目
５   作業着
【図１】
2020074878.tif 000003
【図２】
2020074878.tif 000004